(57)【要約】【課題】戸先側縁部材の見付け寸法を低減させて開閉体における面材の面積の拡大を図ること。【解決手段】四周に枠部材を有する枠体１０と、第２面材３１を有し、かつ枠体１０の上枠１１に対して第２面材３１が上下方向に沿って移動可能に装着された可動パネル３０とを備え、上側縁部材３２が上枠１１に当接することで枠体１０の矩形開口１４を閉塞し、上側縁部材３２が下方に移動することで矩形開口１４の一部を開放する通風ユニット１であって、縦枠１３は、長手方向に沿って延在し、かつ第２面材３１の一部を収納させる後方溝部１３ｂと、後方溝部１３ｂの前方側で平行に延在する前方溝部１３ａとを有し、可動パネル３０は、上側縁部材３２に連結し、かつ一部が前方溝部１３ａに収納されて該前方溝部１３ａの壁面と摺動可能な上部摺動片４０を備えている。【選択図】図１
2015169039.tif 000002
【特許請求の範囲】
【請求項１】
四周に枠部材を有する枠体と、
平板状の面材を有し、かつ前記枠体を構成する第１枠部材に対して前記面材の戸先側部分に設けた戸先側縁部材が近接離反するよう前記枠体に移動可能に装着された開閉体と
を備え、前記戸先側縁部材が前記第１枠部材に当接することで前記枠体の開口を閉塞する一方、前記戸先側縁部材が前記第１枠部材から離隔することで前記枠体の開口の一部を開放して通風を許容する通風ユニットであって、
前記枠体を構成し、かつ前記第１枠部材の両端部から互いに同じ方向に延在した一対の第２枠部材は、
該第２枠部材の長手方向に沿って延在し、かつ前記面材の一部を収納させて前記開閉体の移動を案内する第１溝部と、
前記第１溝部から該第２枠部材の見込み方向に沿って離隔し、かつ該第１溝部と平行となるよう延在する第２溝部と
を有し、
前記開閉体は、前記戸先側縁部材に連結し、かつ一部が前記第２溝部に収納されて該第２溝部の壁面と摺動可能な戸先側摺動部材を備えたことを特徴とする通風ユニット。
【請求項２】
前記戸先側摺動部材は、取り付けられた摺動材を前記第２枠部材の見込み方向に沿って付勢することで前記摺動材を前記第２溝部の見付け面に押し付ける付勢手段を備えたことを特徴とする請求項１に記載の通風ユニット。
【請求項３】
前記第２枠部材に設けられ、かつ前記開閉体の移動をその途中で規制するストッパ部材を備えたことを特徴とする請求項１又は請求項２に記載の通風ユニット。
【請求項４】
前記戸先側摺動部材は、前記戸先側縁部材が前記第１枠部材から離隔するよう前記開閉体が移動する場合に、一部が所定部位に当接することで開閉体の移動を規制して、該開閉体と、前記枠体を構成して前記第１枠部材に対向する第３枠部材との間に間隙を形成することを特徴とする請求項１〜３のいずれか一つに記載の通風ユニット。
【請求項５】
前記開閉体は、前記面材の戸先側部分と反対側の部分に設けた引手側縁部材に連結し、かつ一部が前記第１溝部に収納されて該第１溝部の壁面と摺動可能な引手側摺動部材を有し、
前記引手側摺動部材は、前記枠体を構成して前記第１枠部材に対向する第３枠部材に向けて延在する脚部を有し、前記戸先側縁部材が前記第１枠部材から離隔するよう前記開閉体が移動する場合に、前記脚部が前記第３枠部材に当接して開閉体の移動を規制するとともに、前記引手側縁部材と前記第３枠部材との間に間隙を形成することを特徴とする請求項１〜３のいずれか一つに記載の通風ユニット。
【請求項６】
前記戸先側摺動部材は、前記第２枠部材における所定部位に接して転動可能な戸車を備えたことを特徴とする請求項１〜５のいずれか一つに記載の通風ユニット。
【請求項７】
前記戸車は、前記第２枠部材における前記第１溝部と前記第２溝部との間の見込み面に接して転動可能であることを特徴とする請求項６に記載の通風ユニット。
【請求項８】
上下一対の横框と、左右一対の縦框とを四周に有する框体を有する建具であって、
上記請求項１〜７のいずれか一つに記載の通風ユニットを備えたことを特徴とする建具。
【請求項９】
前記框体の内側の領域を区画する区画部材を有し、
前記通風ユニットは、前記第１枠部材が一の区画部材の一部を構成し、かつ前記第１枠部材に対向する枠部材が該一の区画部材に隣接する他の区画部材の一部を構成することを特徴とする請求項８に記載の建具。
【発明の詳細な説明】
【技術分野】
【０００１】
本発明は、通風ユニット及び建具に関するものである。
【背景技術】
【０００２】
従来、網戸体についてではあるが、通風ユニットとして特許文献１に提案されているものが知られている。この特許文献１に提案されている通風ユニットは、窓等の建具を構成する開口枠に装着された網戸体（以下、開閉体ともいう）が上下に２分割され、下側の開閉体を上下に移動可能とされている。
【０００３】
このような通風ユニットにおいては、下側の開閉体は、上側の開閉体と同様に、上框、下框及び左右一対の縦框を、それぞれコーナーピースを介して四周框組みして形成した框体の内部に網戸等の面材が装着されて構成されている。そして、下側の開閉体は、開口枠を構成する左右一対の縦枠において、上側の開閉体の左右両端部（縦框及びコーナーピース）が収納される第１溝部と見込み方向に沿って隣接して該縦枠の長手方向に沿って延在する第２溝部に左右両端部（縦框及びコーナーピース）が収納され、コーナーピースが摺動部材として該第２溝部の壁面に摺動可能となっている。
【先行技術文献】
【特許文献】
【０００４】
【特許文献１】特許第３１４８６５７号公報
【発明の概要】
【発明が解決しようとする課題】
【０００５】
ところが、上述した通風ユニットでは、コーナーピースが摺動部材として機能していたために、コーナーピースの見付け寸法を十分に確保する必要があり、結果的に上框、下框及び縦框のそれぞれの見付け寸法を十分な大きさにする必要があった。そのため、開閉体全体における面材の面積が相対的に小さくなってしまい、意匠的にも好ましいものではなかった。
【０００６】
本発明は、上記実情に鑑みて、戸先側縁部材の見付け寸法を低減させて開閉体における面材の面積の拡大を図ることができる通風ユニット及び建具を提供することを目的とする。
【課題を解決するための手段】
【０００７】
上記目的を達成するために、本発明に係る通風ユニットは、四周に枠部材を有する枠体と、平板状の面材を有し、かつ前記枠体を構成する第１枠部材に対して前記面材の戸先側部分に設けた戸先側縁部材が近接離反するよう前記枠体に移動可能に装着された開閉体とを備え、前記戸先側縁部材が前記第１枠部材に当接することで前記枠体の開口を閉塞する一方、前記戸先側縁部材が前記第１枠部材から離隔することで前記枠体の開口の一部を開放して通風を許容する通風ユニットであって、前記枠体を構成し、かつ前記第１枠部材の両端部から互いに同じ方向に延在した一対の第２枠部材は、該第２枠部材の長手方向に沿って延在し、かつ前記面材の一部を収納させて前記開閉体の移動を案内する第１溝部と、前記第１溝部から該第２枠部材の見込み方向に沿って離隔し、かつ該第１溝部と平行となるよう延在する第２溝部とを有し、前記開閉体は、前記戸先側縁部材に連結し、かつ一部が前記第２溝部に収納されて該第２溝部の壁面と摺動可能な戸先側摺動部材を備えたことを特徴とする。
【０００８】
この発明によれば、第１溝部で開閉体を構成する面材の一部を収納させて開閉体の移動を案内するようにし、開閉体を構成して戸先側縁部材に連結する戸先側摺動部材が第２溝部に収納されて該第２溝部の壁面と摺動するようにしたので、戸先側縁部材の見付け寸法を低減させることができる。これにより、開閉体全体における面材の面積を相対的に拡大させることができる。
【０００９】
また本発明は、上記通風ユニットにおいて、前記戸先側摺動部材は、取り付けられた摺動材を前記第２枠部材の見込み方向に沿って付勢することで前記摺動材を前記第２溝部の見付け面に押し付ける付勢手段を備えたことを特徴とする。
【００１０】
この発明によれば、戸先側摺動部材を構成する付勢手段が、自身に取り付けられた摺動材を第２枠部材の見込み方向に沿って付勢するので、付勢手段の付勢力が製品公差、熱伸び等の影響を受けづらくすることができる。また開閉体の保持力や開閉体の移動の際に必要とする力を安定させることができる。
【００１１】
また本発明は、上記通風ユニットにおいて、前記第２枠部材に設けられ、かつ前記開閉体の移動をその途中で規制するストッパ部材を備えたことを特徴とする。
【００１２】
この発明によれば、ストッパ部材が開閉体の移動をその途中で規制するので、例えば開閉体が上下に移動するものである場合、開閉体自身の自重により開閉体が限界位置まで開移動してしまうことを抑制することができる。
【００１３】
また本発明は、上記通風ユニットにおいて、前記戸先側摺動部材は、前記戸先側縁部材が前記第１枠部材から離隔するよう前記開閉体が移動する場合に、一部が所定部位に当接することで開閉体の移動を規制して、該開閉体と、前記枠体を構成して前記第１枠部材に対向する第３枠部材との間に間隙を形成することを特徴とする。
【００１４】
この発明によれば、戸先側摺動部材の一部が所定部位に当接して開閉体の移動を規制するとともに、開閉体と第３枠部材との間に間隙を形成するので、開閉体と第３枠部材との間で手指を挟み込んでしまうことを抑制することができる。
【００１５】
また本発明は、上記通風ユニットにおいて、前記開閉体は、前記面材の戸先側部分と反対側の部分に設けた引手側縁部材に連結し、かつ一部が前記第１溝部に収納されて該第１溝部の壁面と摺動可能な引手側摺動部材を有し、前記引手側摺動部材は、前記枠体を構成して前記第１枠部材に対向する第３枠部材に向けて延在する脚部を有し、前記戸先側縁部材が前記第１枠部材から離隔するよう前記開閉体が移動する場合に、前記脚部が前記第３枠部材に当接して開閉体の移動を規制するとともに、前記引手側縁部材と前記第３枠部材との間に間隙を形成することを特徴とする。
【００１６】
この発明によれば、引手側摺動部材の脚部が第３枠部材に当接して開閉体の移動を規制するとともに、引手側縁部材と第３枠部材との間に間隙を形成するので、引手側縁部材と第３枠部材との間で手指を挟み込んでしまうことを抑制することができる。
【００１７】
また本発明は、上記通風ユニットにおいて、前記戸先側摺動部材は、前記第２枠部材における所定部位に接して転動可能な戸車を備えたことを特徴とする。
【００１８】
この発明によれば、戸先側摺動部材に設けた戸車が、第２枠部材における所定部位に接して転動可能であるので、開閉体を移動させる場合において開閉体を移動させるための力の作用箇所が第２枠部材の見付け方向に極端に偏った場合にも戸車がガイド部材としての役割を果たして転動することで、開閉体が該見付け方向において必要以上に傾いてしまうことを防止することができるとともに、このように傾いた状態での操作力を低減させることができる。
【００１９】
また本発明は、上記通風ユニットにおいて、前記戸車は、前記第２枠部材における前記第１溝部と前記第２溝部との間の見込み面に接して転動可能であることを特徴とする。
【００２０】
この発明によれば、戸先側摺動部材に設けた戸車が、第２枠部材における第１溝部と第２溝部との間の見込み面に接して転動可能であるので、開閉体を移動させる場合において開閉体を移動させるための力の作用箇所が第２枠部材の見付け方向に極端に偏った場合にも戸車がガイド部材としての役割を果たして転動することで、開閉体が該見付け方向において必要以上に傾いてしまうことを防止することができるとともに、このように傾いた状態での操作力を低減させることができる。
【００２１】
本発明に係る建具は、上下一対の横框と、左右一対の縦框とを四周に有する框体を有する建具であって、上述したいずれか一つに記載の通風ユニットを備えたことを特徴とする。
【００２２】
また本発明は、上記建具において、前記框体の内側の領域を区画する区画部材を有し、前記通風ユニットは、前記第１枠部材が一の区画部材の一部を構成し、かつ前記第１枠部材に対向する枠部材が該一の区画部材に隣接する他の区画部材の一部を構成することを特徴とする。
【発明の効果】
【００２３】
本発明によれば、戸先側縁部材の見付け寸法を低減させて開閉体における面材の面積の拡大を図ることができるという効果を奏する。
【図面の簡単な説明】
【００２４】
【図１】図１は、本発明の実施の形態である通風ユニットを示す縦断面図である。
【図２】図２は、本発明の実施の形態である通風ユニットを示す平面図である。
【図３】図３は、図１におけるＡ−Ａ線断面図である。
【図４】図４は、図１におけるＢ−Ｂ線断面図である。
【図５】図５は、本発明の実施の形態である通風ユニットを示す底面図である。
【図６】図６は、中間ストッパを示す斜視図である。
【図７】図７は、図１に示した通風ユニットの要部を示す斜視図である。
【図８】図８は、図１に示した可動パネルの要部を示す斜視図である。
【図９−１】図９−１は、上側縁部材の右側に設けられた上部摺動片を示す右側面図である。
【図９−２】図９−２は、上側縁部材の右側に設けられた上部摺動片を示す正面図である。
【図１０−１】図１０−１は、下側縁部材の右側に設けられた下部摺動片を示す右側面図である。
【図１０−２】図１０−２は、下側縁部材の右側に設けられた下部摺動片を示す正面図である。
【図１１】図１１は、本発明の実施の形態である通風ユニットが適用された建具の外観図である。
【図１２】図１２は、図１１に示す建具の構成要素の縦断面を示す縦断面図である。
【図１３】図１３は、通風ユニットを吊下障子に取り付ける状態を示す要部縦断面図である。
【図１４−１】図１４−１は、図１３における中桟ガイドを示す斜視図である。
【図１４−２】図１４−２は、図１３における中桟ガイドを示す説明図である。
【図１５】図１５は、通風ユニットを吊下障子に取り付けた状態を示す要部縦断面図である。
【発明を実施するための形態】
【００２５】
以下に添付図面を参照して、本発明に係る通風ユニット及び建具の好適な実施の形態について詳細に説明する。
【００２６】
図１〜図５は、それぞれ本発明の実施の形態である通風ユニットを示すものであり、図１は縦断面図、図２は平面図、図３は図１におけるＡ−Ａ線断面図、図４は図１におけるＢ−Ｂ線断面図、図５は底面図である。尚、以下においては、図１における右側を前方、左側を後方、紙面手前側を右方、紙面奥側を左方として説明する。ここで例示する通風ユニット１は、枠体１０と、固定パネル２０と、可動パネル（開閉体）３０とを備えて構成してある。
【００２７】
枠体１０は、上枠（第１枠部材）１１、下枠（第３枠部材）１２及び左右一対の縦枠（第２枠部材）１３を四周枠組みすることによって構成したものであり、矩形開口１４を形成するものである。上枠１１は、前方上側係止部１１ａと後方上側係止部１１ｂとを有している。
【００２８】
前方上側係止部１１ａは、上枠１１の長手方向、すなわち左右方向に沿って延在するものであり、上枠１１の前端部において上方に向けて延在し、かつその途中で後方に向けて延在する部位である。
【００２９】
後方上側係止部１１ｂは、前方上側係止部１１ａと同様に、上枠１１の長手方向に沿って延在するものであり、上枠１１の後端部において上方に向かうに連れて漸次後方に傾斜するよう延在する部位である。
【００３０】
また、このような上枠１１においては、中央領域の下面に、例えば鉄等の強磁性体材料から形成された平板状の受部材１１１がネジ等により取り付けてある。
【００３１】
下枠１２は、下側溝部１２ａと、前方下側係止部１２ｂと、後方下側係止部１２ｃとを有している。下側溝部１２ａは、下枠１２の長手方向、すなわち左右方向に沿って延在するものであり、下枠１２の内側の見込み面における前端部に形成された部位である。
【００３２】
前方下側係止部１２ｂは、下枠１２の長手方向に沿って延在するものであり、下側溝部１２ａの底部を構成する部分の前端縁部より下方に向けて延在し、かつその途中で後方に向けて延在する部位である。
【００３３】
後方下側係止部１２ｃは、前方下側係止部１２ｂと同様に、下枠１２の長手方向に沿って延在するものであり、下枠１２の後端部において下方に向けて延在した後に下方に向かうに連れて漸次後方に傾斜するよう延在する部位である。
【００３４】
左右一対の縦枠１３は、それぞれ前方溝部（第２溝部）１３ａ及び後方溝部（第１溝部）１３ｂを有している。前方溝部１３ａは、縦枠１３の長手方向、すなわち上下方向に沿って延在するものであり、該縦枠１３の内側の見込み面において下側溝部１２ａに対応する箇所に形成された部位である。
【００３５】
後方溝部１３ｂは、縦枠１３の内側の見込み面における前方溝部１３ａよりも後方側に離隔した箇所において、前方溝部１３ａと平行に延在するよう形成された部位である。この前方溝部１３ａは、下側溝部１２ａと連続する位置に設けてあり、これら前方溝部１３ａ及び後方溝部１３ｂの前後幅は、下側溝部１２ａの前後幅と略同じかやや大きく設定してある。
【００３６】
また、上記縦枠１３には、中間ストッパ（ストッパ部材）１５が設けてある。中間ストッパ１５は、例えば樹脂材から形成されるものであり、図６に示すように長孔形状の中空部を有する突出部１５ａを備えている。この突出部１５ａを構成する前方側の周面には、前方に向けて隆起する突部１５ｂが形成してある。かかる中間ストッパ１５は、前方溝部１３ａの上下方向における中間の高さレベルとなる中間部分よりも上方側の箇所において該前方溝部１３ａの後方側の見付け面に形成された図示せぬ切欠を突出部１５ａの一部が貫通することで、突部１５ｂが前方溝部１３ａの内部に進入した形態で縦枠１３に取り付けてある。ここで突出部１５ａが中空部を有していることにより前後方向に弾性変形可能なものである。
【００３７】
固定パネル２０は、例えば透光性の樹脂材から形成された平板矩形状の第１面材２１を有して構成してある。第１面材２１は、枠体１０により形成される矩形開口１４の下半分を閉塞するのに十分な大きさを有している。この固定パネル２０は、第１面材２１の下端部が下側溝部１２ａに収納されるとともに、その左右両端部が各縦枠１３の前方溝部１３ａに収納され、更にその上端部が左右一対の縦枠１３間において前方溝部１３ａの中間部分を架け渡すように設けられた固定側中桟２２の中桟溝部２２ａに収納される。この固定パネル２０は、第１面材２１の各端部が各溝部に収納されることで枠体１０の矩形開口１４の下半分を閉塞している。
【００３８】
図７は、図１に示した通風ユニットの要部を示す斜視図であり、右側半分を示している。図８は、図１に示した可動パネルの要部を示す斜視図であり、右側半分を示している。以下においては、これら図７及び図８も適宜用いながら説明する。
【００３９】
可動パネル３０は、第２面材３１、上部摺動片（戸先側摺動部材）４０及び下部摺動片（引手側摺動部材）５０を有して構成してある。
【００４０】
第２面材３１は、例えば透光性の樹脂材から形成された平板矩形状のものである。この第２面材３１は、枠体１０により形成される矩形開口１４の上半分を閉塞するのに十分な大きさを有している。つまり、第２面材３１は、第１面材２１と略同じ大きさを有している。
【００４１】
第２面材３１の上端部においては、左右両端部を除く中央部分に上側縁部材（戸先側縁部材）３２が設けてある。上側縁部材３２は、図には明示しない両面テープ又は接着剤により貼付して設けてある。上側縁部材３２は、左右方向が長手方向となる長尺状部材であり、上面が上枠１１の下面に当接可能なものである。この上側縁部材３２における上枠１１の受部材１１１に対応する箇所には、図４に示すように矩形状の上側開口３２ａが形成してある。そして、この上側開口３２ａを下側よりマグネット３２１が挿通するよう、該マグネット３２１を有する板状のマグネット支持部材３２２が上側縁部材３２にネジ等で取り付けてある。これにより、マグネット３２１は、受部材１１１に対して磁力により吸着することが可能である。
【００４２】
また、第２面材３１の下端部においては、左右両端部を除く中央部分に下側縁部材（引手側縁部材）３３が設けてある。下側縁部材３３は、図には明示しない両面テープ又は接着剤により貼付して設けてある。この下側縁部材３３には、第２面材３１の下方域において後方側に凹となる引手部３３ａが形成してある。この引手部３３ａは、下側縁部材３３の左右方向の全長にわたって形成してある。図１中の符号３３１は、下側タイト材である。下側タイト材３３１は、前方に向けて略水平に突出した「モヘア」と称される刷毛状のものである。この下側タイト材３３１は、下側縁部材３３の前方側の見付け面を構成する部分の上部において下側縁部材３３の左右方向の全長にわたって設けてある。かかる下側タイト材３３１は、前方側に対向する固定パネル２０と干渉して傷がつくことを防止するために設けてあり、本実施の形態ではモヘアにより構成されるものであったが、本発明においては軟質材であれば、樹脂材やゴム等により構成されるものであってもよい。
【００４３】
更に、第２面材３１の左右両端部においては、横断面形状がＬ字状を成す複数の摺動ピース３４が上下方向に沿って所定間隔毎に設けてある。各摺動ピース３４は、図には明示しない両面テープにより貼付して設けてある。摺動ピース３４は、前後幅が後方溝部１３ｂの前後幅よりも僅かに小さいものであり、左右方向の見付け幅も小さいため、後方溝部１３ｂから露出しないように設けてある。
【００４４】
上部摺動片４０は、可動パネル３０に対し、上側縁部材３２の右側と左側とに設けてある。
【００４５】
図９−１及び図９−２は、それぞれ上側縁部材３２の右側に設けられた上部摺動片４０を示すもので、図９−１は右側面図、図９−２は正面図である。以下においては、これら図９−１及び図９−２を適宜用いながら上側縁部材３２の右側に設けられた上部摺動片４０（以下、右側上部摺動片４０ともいう）について説明し、上側縁部材３２の左側に設けられた上部摺動片４０については、右側上部摺動片４０と左右が異なるだけであるからその説明を割愛する。
【００４６】
右側上部摺動片４０は、上部摺動基部４１と、上部摺動挿入部４２と、上部摺動脚部４３とを備えて構成してある。
【００４７】
上部摺動基部４１は、前後方向に沿って延在する平板状部位である。この上部摺動基部４１の前後方向の長さは、縦枠１３における前方溝部１３ａの前方側見付け面から後方溝部１３ｂの後方側見付け面までの長さよりも大きくなるように設定してある。上部摺動基部４１の後端部には、上方に向けて窪む上側摺動凹部４１ａが形成してある。この上側摺動凹部４１ａの前後幅は第２面材３１の前後幅よりも僅かに大きいものであり、第２面材３１の上端部の進入を許容している。
【００４８】
上部摺動挿入部４２は、上部摺動基部４１の中央領域より左方に向けて突出するよう形成してある。この上部摺動挿入部４２は、上側縁部材３２の右端の小口より該上側縁部材３２の中空内部に挿入可能なものである。上部摺動片４０は、上部摺動挿入部４２が上側縁部材３２の中空内部に挿入されて圧入される、あるいは図示せぬネジ等により螺合されることで上側縁部材３２の右端に連結される。このような上部摺動挿入部４２には、戸車４２ａが自身の中心軸回りに回転可能に設けてある。かかる戸車４２ａの一部は、上部摺動基部４１に形成された矩形状開口４１ｂより右側に突出するよう一部が露出されている。この戸車４２ａは、縦枠１３の前方溝部１３ａと後方溝部１３ｂとの間の見込み面１３１に対向配置されており、可動パネル３０が傾いた場合や左右のどちらかによった場合に該見込み面１３１に接して転動可能なものである。
【００４９】
上部摺動脚部４３は、上部摺動基部４１の前端縁より右方に向けて延在する部位である。また、この上部摺動脚部４３は、上部摺動基部４１よりも下方に突出するよう設けてある。かかる上部摺動脚部４３は、前方溝部１３ａに進入するものである。
【００５０】
この上部摺動脚部４３の後方部は、上方側から第１傾斜面４３ａ、第１垂直面４３ｂ、第２傾斜面４３ｃ及び第２垂直面４３ｄが連続して形成してある。第１傾斜面４３ａは、上部摺動脚部４３の上端部の後端縁部より下方に向かうに連れて漸次後方に傾斜する面である。第１垂直面４３ｂは、第１傾斜面４３ａの下端縁部より下方に向けて延在する面である。第２傾斜面４３ｃは、第１垂直面４３ｂの下端縁部より下方に向かうに連れて漸次後方に傾斜する面である。第２垂直面４３ｄは、第２傾斜面４３ｃの下端縁部より下方に向けて延在する面である。この第２垂直面４３ｄの下端縁部は、上部摺動脚部４３の下端部の後端縁部に連続している。
【００５１】
また、上部摺動脚部４３には、板バネ（付勢手段）４３１が設けてある。板バネ４３１は、上下方向が長手方向となる長尺状のものであり、中央部分が前方に突出するよう屈曲した形状を成している。この板バネ４３１は、上端部及び下端部が上部摺動脚部４３に係止されることにより設けてある。この板バネ４３１の中央部分には摺動材４３２が取り付けてある。このような板バネ４３１を含む上部摺動脚部４３の前後方向の長さＬ１は、前方溝部１３ａの前後幅の長さよりも大きく設定してある。
【００５２】
そのため、上部摺動脚部４３が前方溝部１３ａに進入する場合、板バネ４３１は、自身の弾性復元力により摺動材４３２を縦枠１３の見込み方向に沿って付勢し、摺動材４３２を前方溝部１３ａの前方側見付け面に押圧するものである。
【００５３】
下部摺動片５０は、可動パネル３０に対し、下側縁部材３３の右側と左側とに設けてある。
【００５４】
図１０−１及び図１０−２は、それぞれ下側縁部材３３の右側に設けられた下部摺動片５０を示すもので、図１０−１は右側面図、図１０−２は正面図である。以下においては、これら図１０−１及び図１０−２を適宜用いながら下側縁部材３３の右側に設けられた下部摺動片５０（以下、右側下部摺動片５０ともいう）について説明し、下側縁部材３３の左側に設けられた下部摺動片５０については、右側下部摺動片５０と左右が異なるだけであるからその説明を割愛する。
【００５５】
右側下部摺動片５０は、下部摺動基部５１と、下部摺動挿入部５２と、下部摺動脚部５３とを備えて構成してある。
【００５６】
下部摺動基部５１は、前後方向に沿って延在する平板状部位である。この下部摺動基部５１の前後方向の長さは、縦枠１３における後方溝部１３ｂの前後幅よりも大きくなるように設定してある。下部摺動基部５１の上端部には、下方に向けて窪む下側摺動凹部５１ａが形成してある。この下側摺動凹部５１ａの前後幅は第２面材３１の前後幅よりも僅かに大きいものであり、第２面材３１の下端部の進入を許容している。
【００５７】
下部摺動挿入部５２は、下部摺動基部５１の中央領域より左方に向けて突出するよう形成してある。この下部摺動挿入部５２は、下側縁部材３３の右端の小口より該下側縁部材３３の中空内部に挿入可能なものである。下部摺動片５０は、下部摺動挿入部５２が下側縁部材３３の中空内部に挿入されて前方に設けられた係止片５２ａが下側縁部材３３の係止孔（図示せず）に係止されることで下側縁部材３３の右端部に連結される。
【００５８】
下部摺動脚部５３は、下部摺動基部５１より右方に向けて延在する部位である。この下部摺動脚部５３は、下部摺動基部５１よりも下方に突出するよう設けてあり、より詳細には、下側縁部材３３よりも下方に突出するよう設けてある。かかる下部摺動脚部５３は、後方溝部１３ｂに進入するものである。
【００５９】
下部摺動脚部５３の上下方向の長さであるが、下部摺動脚部５３の下端部が下枠１２に当接する場合に、下枠１２と下側縁部材３３との間に手指の進入を許容する間隙を形成するのに十分な大きさを有するように設定してある。また、下部摺動脚部５３の下端部が下枠１２に当接する場合に、上部摺動脚部４３の下端部が固定側中桟２２に当接するよう、下部摺動脚部５３と上部摺動脚部４３の上下方向の長さが設定してあることが好ましい。
【００６０】
また、下部摺動脚部５３の前後方向の長さＬ２は、後方溝部１３ｂの前後幅の長さよりも僅かに小さく設定してある。そのため、下部摺動脚部５３が後方溝部１３ｂに進入して移動する場合、下部摺動脚部５３は、後方溝部１３ｂの前方側見付け面と摺接するものである。
【００６１】
このような可動パネル３０は、摺動ピース３４に保護された第２面材３１の左右両端部及び下部摺動片５０の下部摺動脚部５３が後方溝部１３ｂに進入するとともに、上部摺動片４０の上部摺動脚部４３が前方溝部１３ａに進入することで、上下方向に沿って開閉移動することができる。
【００６２】
次に上記構成を有する通風ユニット１の適用例について説明する。
【００６３】
図１１は、本発明の実施の形態である通風ユニット１が適用された建具の外観図である。ここで例示する建具は、例えばリビングルームやホール等の空間を仕切るために用いられる吊下障子７０である。
【００６４】
吊下障子７０は、複数（図示の例では２つ）あり、天井に設けた上レール８１と、床に設けた規制部材８２との間に設けてある。この吊下障子７０は、上框７１、下框７２及び左右一対の縦框７３を四周框組みして構成した框体に、複数の中桟（区画部材）７４が縦框７３間に架け渡されることで該框体の内側の領域が複数に区画されている。そして、区画された領域を閉塞するように複数の樹脂パネル７５と１つの通風ユニット１とが配設されて構成してある。
【００６５】
このような吊下障子７０においては、図１２に示すように、上框７１の左右両端近傍において吊車ユニット７６が設けてある。吊車ユニット７６は、上框７１より上方に突出する軸体７６１と、この軸体７６１の上端部において回動可能に配置された一対のローラ７６２とを備えたものである。
【００６６】
そして、吊下障子７０は、吊車ユニット７６の軸体７６１の上端部が上レール８１に収納され、かつ一対のローラ７６２が上レール８１のレール面８１１に載置されることで吊り下げられた状態となっている。また吊下障子７０の下框７２には、左右方向に沿って延在する収容溝７２ａが形成してあり、規制部材８２を構成する突起部８２１が収容してある。
【００６７】
かかる構成を有する吊下障子７０は、一対のローラ７６２がレール面８１１を転動することで左右方向に沿って開閉移動することが可能であり、また収容溝７２ａに突起部８２１が収容されることで前後方向に沿って振れが規制されている。
【００６８】
このような吊下障子７０に通風ユニット１を取り付ける場合について説明する。図１３に示すように、通風ユニット１の上端部を取り付ける高さレベルには、上側中桟ガイド９０ａが左右一対の縦框７３に取り付けてあり、通風ユニット１の下端部を取り付ける高さレベルには、下側中桟ガイド９０ｂが左右一対の縦框７３に取り付けてある。
【００６９】
上側中桟ガイド９０ａ及び下側中桟ガイド９０ｂは、図１４−１及び図１４−２に示すように、同一の形状を成しており、ともに樹脂材により形成されるものである。下側中桟ガイド９０ｂは、上側中桟ガイド９０ａを上下反転させて用いている。つまり、上側中桟ガイド９０ａでは、樹脂パネル７５の進入を許容するパネル凹部９１が下方に窪む形態で設けてあるとともに、収納部９２が下方に窪む形態で設けてある。その一方、下側中桟ガイド９０ｂでは、樹脂パネル７５の進入を許容するパネル凹部９１が上方に窪む形態で設けてあるとともに、収納部９２が上方に窪む形態で設けてある。そして、上側中桟ガイド９０ａ及び下側中桟ガイド９０ｂは、それぞれ収納部９２とは反対側に向けて突出する被係止部９３が左右一対の縦框７３に設けられた図示せぬ係止部に圧入されて係止されることで、所望の高さレベルに取り付けてある。
【００７０】
上側中桟ガイド９０ａの後方側には、樹脂パネル７５の下端部を収納する収納凹部７４１が収納部９２に収納された状態で中桟７４（以下、上側中桟７４ａともいう）が架け渡されており、下側中桟ガイド９０ｂの後方側には、樹脂パネル７５の上端部を収納する収納凹部７４２が収納部９２に収納された状態で中桟７４（以下、下側中桟７４ｂともいう）が架け渡されている。
【００７１】
そして、図１３に示すように、通風ユニット１を前方より近接させた後に、上枠１１の前方上側係止部１１ａ及び後方上側係止部１１ｂを上側中桟７４ａの所定部位に係止させ、かつ下枠１２の前方下側係止部１２ｂ及び後方下側係止部１２ｃを下側中桟７４ｂの所定部位に係止させることで、図１５に示すように、通風ユニット１を取り付けることができ、これにより吊下障子７０を構成する。このように、通風ユニット１は、上枠１１が框体の内側の領域を区画する一の区画部材の一部を構成し、かつ下枠１２が一の区画部材に隣接する他の区画部材の一部を構成している。
【００７２】
以上説明した通風ユニット１では、図１に示した状態から可動パネル３０を上方に向けて移動させる場合、上部摺動片４０の上部摺動脚部４３が前方溝部１３ａを上方に向けて移動し、第２面材３１及び下部摺動片５０の下部摺動脚部５３が後方溝部１３ｂを上方に向けて移動することとなる。この場合において、上部摺動片４０の上部摺動脚部４３では板バネ４３１により付勢される摺動材４３２が前方溝部１３ａの前方側見付け面に押圧されて摺接することで該上部摺動脚部４３が摺動するとともに、下部摺動片５０の下部摺動脚部５３が後方溝部１３ｂの前方側見付け面に接した状態で摺動する。また、上部摺動片４０に設けられた戸車４２ａは、縦枠１３の前方溝部１３ａ及び後方溝部１３ｂの間の見込み面１３１に対向している。そして、可動パネル３０が傾いた場合や左右のどちらかによった場合に該見込み面１３１に接して転動することとなる。
【００７３】
このようにして可動パネル３０が上方に向けて移動して上側縁部材３２が上枠１１に近接すると、上側縁部材３２のマグネット３２１と、上枠１１の受部材１１１との間で作用する磁力により上側縁部材３２が上枠１１に吸着されて該上枠１１に当接して可動パネル３０の上方への移動が規制される。このような状態では、枠体１０の矩形開口１４は、固定パネル２０及び可動パネル３０により閉塞される。またかかる状態では、上側縁部材３２が上枠１１に磁力により吸着されて当接しているので、可動パネル３０をフリーな状態にさせてもこの可動パネル３０が自身の自重により下方に向けて移動する虞れがない。
【００７４】
枠体１０の矩形開口１４が固定パネル２０及び可動パネル３０により閉塞された状態から可動パネル３０に対して力を下方に向けて作用させることで、可動パネル３０を下方に向けて移動させることができる。そして、このようにして可動パネル３０を下方に向けて移動させる場合、上部摺動片４０の上部摺動脚部４３が前方溝部１３ａを下方に向けて移動し、第２面材３１及び下部摺動片５０の下部摺動脚部５３が後方溝部１３ｂを下方に向けて移動することとなる。この場合において、上部摺動片４０の上部摺動脚部４３では板バネ４３１により付勢される摺動材４３２が前方溝部１３ａの前方側見付け面に押圧されて摺接することで該上部摺動脚部４３が摺動するとともに、下部摺動片５０の下部摺動脚部５３が後方溝部１３ｂ内を摺動する。また、可動パネル３０を上方に向けて移動させる場合と同様に、上部摺動片４０に設けられた戸車４２ａは、可動パネル３０が傾いた場合や左右のどちらかによった場合に該見込み面１３１に接して転動することとなる。
【００７５】
その後、下方に向けて移動する可動パネル３０が中間ストッパ１５が配設されている箇所に上方側から近接すると、次のようになる。すなわち、中間ストッパ１５は、上述したように突部１５ｂが前方溝部１３ａの内部に進入した形態で縦枠１３に取り付けてある。そのため、突部１５ｂが進入する部分においては、前方溝部１３ａの前後幅は最も狭くなっている。従って、可動パネル３０が下方に向けて移動すると、上部摺動片４０の上部摺動脚部４３の下端部が突部１５ｂに当接して下方への移動が規制され、これにより可動パネル３０の下方への移動が少なくとも一時的に規制される。
【００７６】
そして、可動パネル３０に対してより強い力を下方に向けて作用させることで、上部摺動脚部４３が中間ストッパ１５の突部１５ｂに押圧されて板バネ４３１が弾性変形し、あるいは上部摺動脚部４３の板バネ４３１と中間ストッパ１５の突部１５ｂとの双方が弾性変形する。これにより、可動パネル３０は下方に向けて移動することができる。
【００７７】
ところで、中間ストッパ１５が配設されている箇所に可動パネル３０が下方から近接して上方に向けて移動する場合には、上部摺動片４０の上部摺動脚部４３の後方部に形成された第１傾斜面４３ａや第２傾斜面４３ｃに突部１５ｂが当接することにより、上部摺動脚部４３が板バネ４３１の付勢力に抗して前方側に僅かに変位して中間ストッパ１５を弾性変形させるような強い力を作用させなくても可動パネル３０を上方に向けて移動させることができる。
【００７８】
中間ストッパ１５の突部１５ｂを乗り越えた可動パネル３０が下方に向けて移動して下部摺動片５０が下枠１２に近接すると、その後に下部摺動片５０の下部摺動脚部５３の下端部が下枠１２に当接して可動パネル３０の下方への移動が規制される。このとき上部摺動片４０の上部摺動脚部４３の下端部も固定側中桟２２に当接する。このようにして下部摺動脚部５３の下端部が下枠１２に当接した場合、下部摺動脚部５３は、下側縁部材３３よりも下方に突出するよう設けてあるので、下枠１２と下側縁部材３３との間に手指の進入を許容する間隙を形成することができる。このような状態では、枠体１０の矩形開口１４は、一部が開放されて通風を許容する。
【００７９】
以上説明したような通風ユニット１によれば、可動パネル３０を構成する第２面材３１が後方溝部１３ｂを移動するようにし、かつ可動パネル３０を構成する上部摺動片４０が前方溝部１３ａを摺動するようにしたので、上部摺動片４０が連結する上側縁部材３２の見付け寸法を低減させることができる。これにより、可動パネル３０の全体における第２面材３１の面積を拡大させることができる。
【００８０】
上記通風ユニット１によれば、上部摺動片４０における上部摺動脚部４３を構成する板バネ４３１が、自身に取り付けられた摺動材４３２を前方溝部１３ａの前方側見付け面に押しつけるよう付勢するので、付勢力が通風ユニット１の見込み方向に沿って作用することとなる。これにより、板バネ４３１の付勢力が製品公差、熱伸び等の影響を受けづらくなり、可動パネル３０の保持力、並びに可動パネル３０を上下方向へ移動させる際に必要とする力を安定させることができる。
【００８１】
上記通風ユニット１によれば、下部摺動片５０は、下部摺動脚部５３の下端部が下枠１２に当接する場合に可動パネル３０の下方向への移動を規制するとともに、下側縁部材３３と下枠１２との間に間隙を形成するので、下側縁部材３３と下枠１２との間で手指を挟み込んでしまうことを抑制することができる。
【００８２】
上記通風ユニット１によれば、可動パネル３０の移動時に可動パネル３０が左右のどちらかによった場合や傾いた場合に、上部摺動片４０に設けた戸車４２ａが縦枠１３における前方溝部１３ａと後方溝部１３ｂとの間の見込み面１３１に接して転動するので、可動パネル３０を上方若しくは下方に向けて移動させるための力の作用箇所が左右方向のどちらかに極端に偏った場合にも戸車４２ａがガイド部材としての役割を果たすことで、可動パネル３０が左右方向において上下に必要以上に傾いた形態で移動してしまうことを防止することができるとともに、このような傾いた状態での操作力を低減させることができる。
【００８３】
上記通風ユニット１によれば、中間ストッパ１５が、可動パネル３０が下方に向けて移動する場合に、突部１５ｂが上部摺動片４０の上部摺動脚部４３の下端部に当接して可動パネル３０の下方への移動を少なくとも一時的に規制するので、可動パネル３０自身の自重により可動パネル３０が下方の限界位置まで開移動してしまうことを抑制することができる。
【００８４】
以上、本発明の好適な実施の形態について説明したが、本発明はこれに限定されるものではなく種々の変更行うことができる。
【００８５】
上述した実施の形態では、可動パネル３０は上下方向に沿って移動するものであったが、本発明においては、開閉体は、上下方向に沿って移動するものではなく、左右方向に沿って移動するものであってもよい。
【００８６】
上述した実施の形態では、枠体１０は、可動パネル３０と固定パネル２０とにより矩形開口１４が閉塞されていたが、本発明においては、固定パネルも開閉移動できるようにしてもよい。
【００８７】
上述した実施の形態では、上部摺動片４０に板バネ４３１が設けてあったが、本発明においては、戸先側摺動部材は、付勢手段を有していなくてもよい。また、板バネ４３１のような付勢手段は、戸先側摺動部材だけでなく、引手側摺動部材（下部摺動片５０）に設けられていてもよい。
【００８８】
上述した実施の形態では、戸車４２ａは、前方溝部１３ａと後方溝部１３ｂとの間の見込み面１３１に対向配置されて転動可能なものであったが、本発明においては、戸車は、第２枠部材（縦枠１３）における所定部位に転動可能なものであってもよい。
【００８９】
上述した実施の形態では、摺動ピース３４は複数設けられていたが、本発明においては、摺動ピースは、単数でかつ長尺状のものであって、第２面材の略全長に亘って設けられていてもよい。
【００９０】
上述した実施の形態では、下部摺動片５０における下部摺動脚部５３の下端部が下枠１２に当接する場合に可動パネル３０の下方向への移動を規制するとともに、下側縁部材３３と下枠１２との間に間隙を形成していたが、本発明においては、戸先側摺動部材（上部摺動片４０）の一部（上部摺動脚部）が所定部位（例えば固定側中桟）に当接することで開閉体（可動パネル３０）の移動を規制して、該開閉体と第３枠部材（下枠１２）との間に間隙を形成するようにしてもよい。
【００９１】
上述した実施の形態では、中間ストッパ１５が前方溝部１３ａの上下方向における中間高さレベルとなる中間部分よりも上方側の箇所において設けられていたが、本発明においては、ストッパ部材を任意の箇所に設けてよいし、複数のストッパ部材を設けるようにしてもよい。
【符号の説明】
【００９２】
１  通風ユニット、１０  枠体、１１  上枠（第１枠部材）、１２  下枠（第３枠部材）、１３  縦枠（第２枠部材）、１３ａ  前方溝部（第２溝部）、１３ｂ  後方溝部（第１溝部）、１３１  見込み面、１４  矩形開口  １５  中間ストッパ（ストッパ部材）、２０  固定パネル、２１  第１面材、２２  固定側中桟、３０  可動パネル（開閉体）、３１  第２面材、３２  上側縁部材（戸先側縁部材）、３３  下側縁部材（引手側縁部材）、４０  上部摺動片（戸先側摺動部材）、４１  上部摺動基部、４２  上部摺動挿入部、４２ａ  戸車、４３  上部摺動脚部、４３１  板バネ（付勢手段）、４３２  摺動材、５０  下部摺動片（引手側摺動部材）、５１  下部摺動基部、５２  下部摺動挿入部、５３  下部摺動脚部
【図１】
2015169039.tif 000003
【図２】
2015169039.tif 000004
【図３】
2015169039.tif 000005
【図４】
2015169039.tif 000006
【図５】
2015169039.tif 000007
【図６】
2015169039.tif 000008
【図７】
2015169039.tif 000009
【図８】
2015169039.tif 000010
【図９−１】
2015169039.tif 000011
【図９−２】
2015169039.tif 000012
【図１０−１】
2015169039.tif 000013
【図１０−２】
2015169039.tif 000014
【図１１】
2015169039.tif 000015
【図１２】
2015169039.tif 000016
【図１３】
2015169039.tif 000017
【図１４−１】
2015169039.tif 000018
【図１４−２】
2015169039.tif 000019
【図１５】
2015169039.tif 000020